(57)【要約】【課題】  施工性を低下させることなく、床下地面における床仕上げ材の位置調整を容易に行うことが可能な床仕上げ材の敷設方法を提供する。【解決手段】  本発明に係る床仕上げ材の敷設方法は、両面テープ１０の床仕上げ材２０が貼り付けられる粘着面１２ａに剥離紙１３を貼り付けた状態で、両面テープ１０を床下地面１における床仕上げ材２０を敷設する位置に貼り付ける第一の工程と、粘着面１２ａに剥離紙１３が貼り付けられた状態の両面テープ１０の上に、床仕上げ材２０を配置する第二の工程と、両面テープ１０の上に配置された床仕上げ材２０の位置調整を行う第三の工程と、両面テープ１０における床仕上げ材２０を配置した部分の剥離紙１３を、床仕上げ材２０の未配置部分側から剥離して、床仕上げ材２０を床下地面１に貼り付ける第四の工程と、を有する。【選択図】  図６
2010261251.tif 000002
【特許請求の範囲】
【請求項１】
両面テープを用いて床下地面に床仕上げ材を敷設する床仕上げ材の敷設方法であって、
前記両面テープの両粘着面のうち前記床仕上げ材が貼り付けられる一方側の粘着面に剥離紙を貼り付けた状態で、前記両粘着面のうち他方側の粘着面を前記床下地面に貼り付けて、前記両面テープを前記床下地面における前記床仕上げ材を敷設する位置に貼り付ける第一の工程と、
前記一方側の粘着面に前記剥離紙が貼り付けられた状態の前記両面テープの上に、前記床仕上げ材を配置する第二の工程と、
前記両面テープの上に配置された前記床仕上げ材の位置調整を行う第三の工程と、
前記両面テープにおける前記床仕上げ材を配置した部分の前記剥離紙を、前記床仕上げ材の未配置部分側から剥離して、前記床仕上げ材を前記床下地面に貼り付ける第四の工程と、
を有することを特徴とする床仕上げ材の敷設方法。
【請求項２】
前記第四の工程において、
前記剥離紙は、前記床仕上げ材が配置されている部分側の端部から前記床仕上げ材の未配置部分側に導出する導出部を有し、
前記導出部を引っ張ることによって、前記両面テープにおける前記床仕上げ材を配置した部分の前記剥離紙を、前記床仕上げ材の未配置部分側から剥離することを特徴とする請求項１記載の床仕上げ材の敷設方法。
【請求項３】
前記導出部は、前記剥離紙を折り返すことにより形成されていることを特徴とする請求項２に記載の床仕上げ材の敷設方法。
【請求項４】
前記第二の工程から前記第四の工程を繰り返して、複数の前記床仕上げ材を敷設することを特徴とする請求項１乃至３のうちいずれか一項に記載の床仕上げ材の敷設方法。
【請求項５】
前記両面テープは、前記一方側の粘着面における幅方向の一部に、長手方向に連続して前記剥離紙が貼り付けられていない部分を有することを特徴とする請求項１乃至４のうちいずれか一項に記載の床仕上げ材の敷設方法。
【請求項６】
前記床仕上げ材は、樹脂を含んで形成されていることを特徴とする請求項１乃至５のうちいずれか一項に記載の床仕上げ材の敷設方法。
【発明の詳細な説明】
【技術分野】
【０００１】
本発明は、床仕上げ材の敷設方法に関する。
【背景技術】
【０００２】
従来、床下地面にフローリング等の床仕上げ材を敷設する方法として、両面テープを用いて床下地面に床仕上げ材を敷設する方法が知られている。
両面テープを用いて床下地面に床仕上げ材を敷設する方法では、まず、床下地面における床仕上げ材を敷設する位置に両面テープを貼り付ける。そして、床下地面に貼付けられた両面テープによって、床下地面に床仕上げ材を貼り付ける。
ここで、床下地面に床仕上げ材を貼り付ける際には、床下地面において床仕上げ材の細かい位置調整を行う必要がある。
しかしながら、上記両面テープを用いて床下地面に床仕上げ材を敷設する方法では、両面テープの粘着力により、床下地面における床仕上げ材の位置調整が困難となる場合がある。
【０００３】
従来、両面テープを用いて床下地面に床仕上げ材を貼り付ける際に、床下地面における床仕上げ材の位置調整を容易に行うための方法として、例えば、特許文献１に係る方法が知られている。
特許文献１に係る方法では、床下地面に貼付けられた両面テープによって、床下地面に床仕上げ材を貼り付ける際に、両面テープの粘着面に水等の液剤を塗布して、両面テープの粘着力を一時的に低下させる。そして、両面テープの粘着面の粘着力が一時的に低下している間に、床下地面における床仕上げ材の位置調整を行う。
【先行技術文献】
【特許文献】
【０００４】
【特許文献１】特開平２−２０７６０号公報
【発明の概要】
【発明が解決しようとする課題】
【０００５】
しかしながら、上記従来技術では、両面テープの粘着面の粘着力を十分に低下させることができず、床下地面における床仕上げ材の位置調整が困難となる場合がある。
また、上記従来技術では、両面テープの粘着面に液剤を塗布する工程が必要となるとともに、両面テープの粘着面に塗布された液剤が乾燥するまで床仕上げ材が床下地面に固定されないため、床下地面に床仕上げ材を敷設する際の施工性が低下する。
本発明の課題は、両面テープを用いて床下地面に床仕上げ材を敷設する際に、施工性を低下させることなく、床下地面における床仕上げ材の位置調整を容易に行うことが可能な床仕上げ材の敷設方法を提供することである。
【課題を解決するための手段】
【０００６】
上記目的を達成するために、第一の発明に係る床仕上げ材の敷設方法は、両面テープを用いて床下地面に床仕上げ材を敷設する床仕上げ材の敷設方法であって、前記両面テープの両粘着面のうち前記床仕上げ材が貼り付けられる一方側の粘着面に剥離紙を貼り付けた状態で、前記両粘着面のうち他方側の粘着面を前記床下地面に貼り付けて、前記両面テープを前記床下地面における前記床仕上げ材を敷設する位置に貼り付ける第一の工程と、前記一方側の粘着面に前記剥離紙が貼り付けられた状態の前記両面テープの上に、前記床仕上げ材を配置する第二の工程と、前記両面テープの上に配置された前記床仕上げ材の位置調整を行う第三の工程と、前記両面テープにおける前記床仕上げ材を配置した部分の前記剥離紙を、前記床仕上げ材の未配置部分側から剥離して、前記床仕上げ材を前記床下地面に貼り付ける第四の工程と、を有することを特徴とする。
【０００７】
第一の発明に係る床仕上げ材の敷設方法では、一方側の粘着面に剥離紙が貼り付けられた状態の両面テープの上に床仕上げ材を配置して、該床仕上げ材の位置調整を行った後に、両面テープにおける床仕上げ材を配置した部分の剥離紙を床仕上げ材の未配置部分側から剥離して床仕上げ材を床下地面に貼り付ける。
すなわち、第一の発明に係る床仕上げ材の敷設方法では、剥離紙が貼り付けられた状態の両面テープ上で床仕上げ材の位置調整を行い、該床仕上げ材の位置調整が完了した後に、該床仕上げ材を配置した部分の剥離紙を剥離する。
【０００８】
したがって、第一の発明に係る床仕上げ材の敷設方法によれば、施工性を低下させることなく、床下地面における床仕上げ材の位置調整を容易に行うことが可能となる。
また、第二の発明に係る床仕上げ材の敷設方法は、第一の発明に係る床仕上げ材の敷設方法において、前記第四の工程において、前記剥離紙は、前記床仕上げ材が配置されている部分側の端部から前記床仕上げ材の未配置部分側に導出する導出部を有し、前記導出部を引っ張ることによって、前記両面テープにおける前記床仕上げ材を配置した部分の前記剥離紙を、前記床仕上げ材の未配置部分側から剥離することを特徴とする。
【０００９】
第二の発明に係る床仕上げ材の敷設方法では、剥離紙が、床仕上げ材が配置されている部分側の端部から床仕上げ材の未配置部分側に導出する導出部を有している。そして、床仕上げ材の未配置部分側から導出部を引っ張ることによって、床仕上げ材を配置した部分の剥離紙を剥離する。
したがって、第二の発明に係る床仕上げ材の敷設方法によれば、両面テープにおける床仕上げ材を配置した部分の剥離紙を床仕上げ材の未配置部分側から容易に剥離することが可能となる。
【００１０】
第三の発明に係る床仕上げ材の敷設方法は、第二の発明に係る床仕上げ材の敷設方法において、前記導出部は、前記剥離紙を折り返すことにより形成されていることを特徴とする。
第三の発明に係る床仕上げ材の敷設方法では、導出部が、剥離紙を折り返すことにより形成されているため、簡易な構成で、両面テープにおける床仕上げ材を配置した部分の剥離紙を床仕上げ材の未配置部分側から容易に剥離することが可能となる。
第四の発明に係る床仕上げ材の敷設方法は、第一乃至第三のうちいずれか一の発明に係る床仕上げ材の敷設方法において、前記第二の工程から前記第四の工程を繰り返して、複数の前記床仕上げ材を敷設することを特徴とする。
第四発明に係る床仕上げ材の敷設方法によれば、複数の床仕上げ材を敷設する際の施工性を向上することが可能となる。
【００１１】
第五の発明に係る床仕上げ材の敷設方法は、第一乃至第四のうちいずれか一の発明に係る床仕上げ材の敷設方法において、前記両面テープは、前記一方側の粘着面における幅方向の一部に、長手方向に連続して前記剥離紙が貼り付けられていない部分を有することを特徴とする。
第五の発明に係る床仕上げ材の敷設方法では、両面テープが、剥離紙が貼り付けられていない部分を有することによって、剥離紙が貼り付けられた状態の両面テープ上で床仕上げ材の位置調整を行う際に、床仕上げ材の位置を適度に固定することが可能となる。
【００１２】
第六の発明に係る床仕上げ材の敷設方法は、第一乃至第五のうちいずれか一の発明に係る床仕上げ材の敷設方法において、前記床仕上げ材は、樹脂を含んで形成されていることを特徴とする。
例えば、床仕上げ材として、樹脂パネル、木材と樹脂との複合材等を用いる。ここで、樹脂パネルとしては、プラスチック廃棄物（廃プラ）から形成された樹脂パネル、合成樹脂により形成された樹脂パネル等を用いることができる。また、木材と樹脂との複合材としては、プラスチックに木チップや木の粉を混ぜた複合材、木材により形成された芯材に樹脂をコーティングした複合材等を用いることができる。
第六の発明に係る床仕上げ材の敷設方法によれば、床仕上げ材を敷設する際の施工性をより向上することが可能となる。
【発明の効果】
【００１３】
本発明によれば、施工性を低下させることなく、床下地面における床仕上げ材の位置調整を容易に行うことが可能となる。
【図面の簡単な説明】
【００１４】
【図１】本発明の実施の形態に係る床仕上げ材の敷設方法に用いる両面テープを示す断面図である。
【図２】図１に示す両面テープの一方側の粘着面を示す平面図である。
【図３】本発明の実施の形態に係る床仕上げ材の敷設方法に用いる床仕上げ材を示す断面図である。
【図４】本発明の実施の形態に係る床仕上げ材の敷設方法において、床下地面に両面テープを配置する方法の一例を示す平面図である。
【図５】図４に示す床下地面に配置された両面テープの端部を示す断面図である。
【図６】図５に示す両面テープの上方に床仕上げ材を載置した状態を示す断面図である。
【図７】図６に示す床仕上げ材の位置調整を完了した状態を示す断面図である。
【図８】図７に示す床仕上げ材の下方に位置する両面テープの剥離紙を剥離する状態を示す断面図である。
【図９】図８に示す床仕上げ材が床下地面に貼り付けられた状態を示す断面図である。
【図１０】図９に示す両面テープの上方に２枚目の床仕上げ材を載置した状態を示す断面図である。
【図１１】図１０に示す２枚目の床仕上げ材の位置調整を完了した状態を示す断面図である。
【図１２】図１１に示す２枚目の床仕上げ材の下方に位置する両面テープの剥離紙を剥離する状態を示す断面図である。
【図１３】図１２に示す２枚目の床仕上げ材が床下地面に貼り付けられた状態を示す断面図である。
【図１４】本発明に係る床仕上げ材の敷設方法において、床下地面に床仕上げ材を敷設する方法の一例を示す平面図である。
【図１５】本発明に係る床仕上げ材の敷設方法において、床下地面に床仕上げ材を敷設する方法の変形例を示す平面図である。
【図１６】図１に示す両面テープの変形例を示す平面図である。
【発明を実施するための形態】
【００１５】
以下、本発明の実施の形態を図面を参照して説明する。
本実施の形態では、本発明に係る床仕上げ材の敷設方法を、コンクリート建築物の床スラブ面からなる床下地面１（図４参照）において、床仕上げ材として樹脂パネルを敷設する方法に適用した場合を例にして説明する。
（両面テープの構成）
まず、本発明の実施の形態に係る床仕上げ材の敷設方法に用いる両面テープ１０の構成について説明する。
図１は、本発明の実施の形態に係る床仕上げ材の敷設方法に用いる両面テープを示す断面図である。
図１に示す両面テープ１０は、粘着層１１と、粘着層１１の一方側の粘着面１２ａに貼り付けられた第一剥離紙１３と、粘着層１１の他方側の粘着面１２ｂに貼付けられた第二剥離紙１４とを備えている。
【００１６】
第一剥離紙１３は、両面テープ１０の粘着面１２ａにおいて、長手方向（図１及び図２に示す左右方向）に連続して貼り付けられている。また、第二剥離紙１４は、粘着面１２ｂにおいて、長手方向に連続して貼り付けられている。第二剥離紙１４は、粘着面１２ｂ幅方向（図２における上下方向）の略全体に貼り付けられている。
粘着層１１は、本実施の形態では、基材（図示せず）を有しており、該基材の両面のそれぞれに粘着剤を塗布することによって形成されている。ここで、粘着剤には、接着剤が含まれるものとする。なお、粘着層１１は、基材を有さずに、粘着剤をシート状に加工して形成しても構わない。
【００１７】
図２に示すように、両面テープ１０は、粘着面１２ａの幅方向において、第一剥離紙１３が貼り付けられている部分と、該第一剥離紙１３が貼り付けられず、粘着面１２ａが露出している露出部１５とを有している。
露出部１５は、粘着面１２ａにおける幅方向の一部に設けられている。本実施の形態では、露出部１５は、粘着面１２ａの幅方向において、第一剥離紙１３が貼り付けられている部分の両脇にそれぞれ設けられている。
【００１８】
ここで、図２に示すように、両面テープ１０の端部では、第一剥離紙１３が粘着面１２ａに対して長手方向に延長された状態となっている。
なお、両面テープ１０は、粘着面１２ａを内側として、ロール状に巻かれた状態となっている。この際、両面テープ１０では、粘着面１２ａに露出部１５が設けられているため、露出部１５における粘着面１２ａが第二剥離紙１４の外面に粘着することによって、ロール状に巻かれた状態を維持することが可能となる。
【００１９】
（床仕上げ材の構成）
次に、本発明の実施の形態に係る床仕上げ材の敷設方法に用いる床仕上げ材２０の構成について説明する。
図３は、本発明の実施の形態に係る床仕上げ材の敷設方法に用いる床仕上げ材を示す断面図である。
床仕上げ材２０は、略方形の板状に形成されている。床仕上げ材２０は、両面テープ１０による貼り付けを考慮して、樹脂を含んで形成されていることが好ましい。例えば、床仕上げ材２０として、樹脂パネル、木材と樹脂との複合材等を用いる。ここで、樹脂パネルとしては、プラスチック廃棄物（廃プラ）から形成された樹脂パネル、合成樹脂により形成された樹脂パネル等を用いることができる。また、木材と樹脂との複合材としては、プラスチックに木チップや木の粉を混ぜた複合材、木材により形成された芯材に樹脂をコーティングした複合材（フローリングパネル）等を用いることができる。なお、床仕上げ材２０として、木材により形成されたフローリングパネル等を用いても構わない。本実施の形態では、床仕上げ材２０として、木材と廃プラとから形成された樹脂パネルを用いている。
【００２０】
図３に示すように、床仕上げ材２０では、一端部に凸部２１が設けられているとともに、他端部に凹部２２が設けられている。そして、床下地面１に敷設された床仕上げ材２０では、隣り合う両床仕上げ材２０において、一方の床仕上げ材２０の凸部２１が他方の床仕上げ材２０の凹部２２に嵌合することによって、両床仕上げ材２０の位置が互いに固定される。
なお、本実施形態では、床仕上げ材２０の長手方向（図１４に示す左右方向）の寸法は、１８１８ｍｍに構成されている。
【００２１】
（床仕上げ材の敷設方法）
次に、本発明の実施の形態に係る床仕上げ材の敷設方法について説明する。
図４は、本発明の実施の形態に係る床仕上げ材の敷設方法において、床下地面に両面テープを設置する方法の一例を示す平面図である。図５は、図４に示す床下地面に設置された両面テープの端部を示す断面図である。図６は、図５に示す両面テープの上方に床仕上げ材を載置した状態を示す断面図である。図７は、図６に示す床仕上げ材の位置調整を完了した状態を示す断面図である。図８は、図７に示す床仕上げ材の下方に位置する両面テープの剥離紙を剥離する状態を示す断面図である。図９は、図８に示す床仕上げ材が床下地面に貼り付けられた状態を示す断面図である。図１０は、図９に示す両面テープの上方に２枚目の床仕上げ材を載置した状態を示す断面図である。図１１は、図１０に示す２枚目の床仕上げ材の位置調整を完了した状態を示す断面図である。図１２は、図１１に示す２枚目の床仕上げ材の下方に位置する両面テープの剥離紙を剥離する状態を示す断面図である。図１３は、図１２に示す２枚目の床仕上げ材が床下地面に貼り付けられた状態を示す断面図である。図１４は、本発明に係る床仕上げ材の敷設方法において、床下地面に床仕上げ材を敷設する方法の一例を示す平面図である。
【００２２】
本発明の実施の形態に係る床仕上げ材の敷設方法では、図４に示すように、まず、床下地面１において、床仕上げ材２０を敷設する位置に、両面テープ１０を設置する（第一の工程）。
本実施の形態では、床下地面１において、複数の床仕上げ材２０を左右方向（図４に示す左右方向）に敷設してなる列を、上下方向（図４に示す上下方向）に複数配設する。各列では、複数の床仕上げ材２０が、その長手方向に沿って並べられ状態で敷設される。また、隣り合う両列では、互いに、床仕上げ材２０の長手方向の端部の位置（隣り合う両床仕上げ材２０の継ぎ目Ｔの位置）が、左右方向にずれた状態となることが好ましい（図１４参照）。すなわち、隣り合う一の列及び他の列では、一の列における隣り合う両床仕上げ材２０の継ぎ目Ｔの位置と、他の列における隣り合う両床仕上げ材２０の継ぎ目Ｔの位置とが、互いに左右方向にずれた状態となることが好ましい。
【００２３】
また、床下地面１における両面テープ１０を設置する位置及び本数は、適宜設定することができる。ここで、両面テープ１０は、床下地面１において、少なくとも、隣り合う両床仕上げ材２０の継ぎ目Ｔの位置に設置することが好ましい。すなわち、隣り合う両床仕上げ材２０の長手方向の端部を、１本の両面テープ１０によって床下地面１に貼り付けることが好ましい。本実施形態では、両面テープ１０は、床仕上げ材２０の長手方向に直交する方向に延びるように配置する。そして、床下地面１において、図４に示す上方から下方に向かって、順次、床仕上げ材２０を敷設する。
【００２４】
床下地面１における両面テープ１０の設置は、両面テープ１０の第二剥離紙１４を粘着面１２ｂから剥離して、粘着面１２ｂを床下地面１に貼り付けることにより行う。
ここで、床下地面１における両面テープ１０の設置は、両面テープ１０の粘着面１２ａに第一剥離紙１３を貼り付けたままの状態で行う。
すなわち、床下地面１に設置された両面テープ１０では、粘着面１２ａの幅方向の中央部に第一剥離紙１３が貼り付けられているとともに、第一剥離紙１３の両脇にそれぞれ粘着面１２ａが露出した露出部１５が設けられた状態となっている。
【００２５】
また、図４に示すように、床下地面１に設置された両面テープ１０の第一剥離紙１３の一端部には、他端部側に向かって延びる導出部１３ａが設けられている。導出部１３ａは、両面テープ１０の一端部の上に床仕上げ材２０が配置された際に、該床仕上げ材２０の下方から両面テープ１０の他端部側に導出するように設けられる。すなわち、導出部１３ａの長手方向の寸法は、床仕上げ材２０の幅方向（図１４に示す上下方向）の寸法より大きく形成する。
【００２６】
図５に示すように、本実施の形態では、導出部１３ａは、第一剥離紙１３における粘着面１２ａに対して長手方向に延長された部分を折り返すことによって形成されている。
なお、導出部１３ａは、第一剥離紙１３の一端部にテープ等を取り付けることによって形成しても構わない。
次に、床下地面１に設置された両面テープ１０の上に、床仕上げ材２０を配置する（第二の工程）。
この際、両面テープ１０においては、粘着面１２ａに第一剥離紙１３が貼り付けられたままの状態となっている。
【００２７】
次に、図６に示すように、両面テープ１０の上に配置された床仕上げ材２０の位置調整を行う（第三の工程）。
床下地面１における壁面２との境界には、予め、床仕上げ材２０の位置決めを行うための楔３が配設されてる。そして、床下地面１における壁面２との境界に床仕上げ材２０を配置する場合、床仕上げ材２０の側面が楔３に接触するように、床仕上げ材２０の位置を調整する。なお、図６に示すように、床下地面１における壁面２との一方側の境界に敷設される床仕上げ材２０としては、凹部２２が設けられていないものを用いる。また、床下地面１における壁面２との他方側の境界に敷設される床仕上げ材２０としては、予め、凸部２１が切断されたものを用いる。なお、床下地面１における壁面２との境界に敷設される床仕上げ材２０としては、凹部２２及び凸部２１が設けられている床仕上げ材２０をそのまま用いても構わない。
【００２８】
ここで、床下地面１に設置されている両面テープ１では、粘着面１２ａに第一剥離紙１３が貼り付けられた状態となっている。これにより、床下地面１における床仕上げ材２０の位置調整を容易に行うことが可能となる。
また、床下地面１に設置されている両面テープ１では、第一剥離紙１３の両脇のそれぞれに粘着面１２ａが露出した露出部１５が設けられた状態となっている。これにより、位置調整が完了した床仕上げ材２０を床下地面１に対して適度に固定することが可能となる。
なお、床下地面１における床仕上げ材２０の位置調整は、必要に応じて、床仕上げ材２０の端部に当て木を当て、該当て木をハンマー等でたたくことにより行う（以下、同様）。
【００２９】
そして、図７に示すように、位置調整が完了した床仕上げ材２０の下方からは、導出部１３ａが、両面テープ１０の床仕上げ材２０の未配置部分側（両面テープ１０の他端部側）に導出した状態となっている。すわなち、第一剥離紙１３は、床仕上げ材２０が配置されている部分側の端部から床仕上げ材２０の未配置部分側に導出する導出部１３ａを有している。
【００３０】
次に、両面テープ１０における床仕上げ材２０を配置した部分の第一剥離紙１３を、床仕上げ材２０の未配置部分側から剥離して、床仕上げ材２０を床下地面１に貼り付ける（第四の工程）。
図８に示すように、両面テープ１０における床仕上げ材２０を配置した部分の第一剥離紙１３を粘着面１２ａから剥離する際には、床仕上げ材２０の下方から導出する導出部１３ａを、床仕上げ材２０の未配置部分側に向かって引っ張る。
【００３１】
そして、図９に示すように、床仕上げ材２０の下方に位置する第一剥離紙１３を粘着面１２ａから剥離するとともに、床仕上げ材２０の下方に位置する第一剥離紙１３を床仕上げ材２０の下方から引き抜く。すなわち、導出部１３ａを引っ張ることによって、両面テープ１０における床仕上げ材２０を配置した部分の第一剥離紙１３を、床仕上げ材２０の未配置部分側から剥離する。これにより、両面テープ１０の粘着層１１によって、床仕上げ材２０が床下地面１に貼り付けられる。
【００３２】
そして、図９に示すように、第一剥離紙１３における床下地面１に貼り付けられた床仕上げ材２０側の端部には、他端部側に向かって延びる導出部１３ａが設けられている。ここで、本実施の形態では、第一剥離紙１３において、床仕上げ材２０を床下地面１に固定する際に粘着面１２ａから剥離された部分が、折り返されて導出部１３ａとなる。なお、導出部１３ａが必要以上に長くなった場合には、適宜、適切な長さに切断しても構わない（以下、同様）。
【００３３】
以上の工程により、床下地面１における１枚目（１列目）の床仕上げ材２０の敷設が完了する。そして、床下地面１において複数枚の床仕上げ材２０を敷設するためには、上記第二の工程から第四の工程を繰り返す。
すなわち、２枚目（２列目）の床仕上げ材２０を床下地面１に敷設する際には、上記第四の工程に続いて、まず、図１０に示すように、床下地面１に設置された両面テープ１０の上に、２枚目の床仕上げ材２０を配置する（第二の工程）。
この際、両面テープ１０における床仕上げ材２０の未配置部分では、粘着面１２ａに第一剥離紙１３が貼り付けられたままの状態となっている。
【００３４】
次に、図１１に示すように、両面テープ１０の上に配置された２枚目の床仕上げ材２０の位置調整を行う（第三の工程）。
２枚目の床仕上げ材２０の位置調整は、２枚目の床仕上げ材２０の凹部２２を、床下地面１に貼り付けられている１枚目の床仕上げ材２０の凸部２１に嵌合させることにより行う。
ここで、床下地面１に設置されている両面テープ１における床仕上げ材２０の未配置部分では、粘着面１２ａに第一剥離紙１３が貼り付けられた状態となっている。これにより、床下地面１における２枚目の床仕上げ材２０の位置調整を容易に行うことが可能となる。
【００３５】
また、床下地面１に設置されている両面テープ１における床仕上げ材２０の未配置部分では、第一剥離紙１３の両脇のそれぞれに粘着面１２ａが露出した露出部１５が設けられた状態となっている。これにより、位置調整が完了した２枚目の床仕上げ材２０を床下地面１に対して適度に固定することが可能となる。
そして、図１１に示すように、位置調整が完了した２枚目の床仕上げ材２０の下方からは、導出部１３ａが、両面テープ１０の床仕上げ材２０の未配置部分側に導出した状態となっている。すなわち、第一剥離紙１３は、床仕上げ材２０が配置されている部分側の端部から床仕上げ材２０の未配置部分側に導出する導出部１３ａを有している。
【００３６】
次に、両面テープ１０における２枚目の床仕上げ材２０を配置した部分の第一剥離紙１３を、床仕上げ材２０の未配置部分側から剥離して、２枚目の床仕上げ材２０を床下地面１に貼り付ける（第四の工程）。
図１２に示すように、両面テープ１０における２枚目の床仕上げ材２０を配置した部分の第一剥離紙１３を粘着面１２ａから剥離する際には、２枚目の床仕上げ材２０の下方から導出する導出部１３ａを、床仕上げ材２０の未配置部分側に向かって引っ張る。
【００３７】
そして、図１３に示すように、２枚目の床仕上げ材２０の下方に位置する第一剥離紙１３を粘着面１２ａから剥離するとともに、２枚目の床仕上げ材２０の下方に位置する第一剥離紙１３を２枚目の床仕上げ材２０の下方から引き抜く。すなわち、導出部１３ａを引っ張ることによって、両面テープ１０における２枚目の床仕上げ材２０を配置した部分の第一剥離紙１３を、床仕上げ材２０の未配置部分側から剥離する。これにより、両面テープ１０の粘着層１１によって、２枚目の床仕上げ材２０が床下地面１に貼り付けられる。
【００３８】
そして、図１３に示すように、第一剥離紙１３における床下地面１に貼り付けられた２枚目の床仕上げ材２０側の端部には、他端部側に向かって延びる導出部１３ａが設けられている。ここで、本実施の形態では、第一剥離紙１３において、２枚目の床仕上げ材２０を床下地面１に固定する際に粘着面１２ａから剥離された部分が、折り返されてそのまま導出部１３ａとなる。
以上の工程により、床下地面１における２枚目（２列目）の床仕上げ材２０の敷設が完了する。
【００３９】
そして、図１４に示すように、３枚目（３列目）以降の床仕上げ材２０についても同様に上記第二の工程から第四の工程を繰り返すことによって、床下地面１における床仕上げ材２０の敷設が完了する。
そして、床下地面１における床仕上げ材２０の敷設が完了した後、必要に応じて、床仕上げ材２０と壁面２との間において、見切り、幅木等を配設する。
【００４０】
（本発明に係る床仕上げ材の敷設方法の作用及び効果）
本発明に係る床仕上げ材の敷設方法では、粘着面１２ａに第一剥離紙１３が貼り付けられた状態の両面テープ１０の上に床仕上げ材２０を配置して、該床仕上げ材２０の位置調整を行った後に、両面テープ１０における床仕上げ材２０を配置した部分の第一剥離紙１３を床仕上げ材２０の未配置部分側から剥離して床仕上げ材２０を床下地面１に貼り付ける。
すなわち、本発明に係る床仕上げ材の敷設方法では、第一剥離紙１３が貼り付けられた状態の両面テープ１０上で床仕上げ材２０の位置調整を行い、該床仕上げ材２０の位置調整が完了した後に、該床仕上げ材２０を配置した部分の第一剥離紙１３を剥離する。
したがって、本発明に係る床仕上げ材の敷設方法によれば、施工性を低下させることなく、床下地面１における床仕上げ材２０の位置調整を容易に行うことが可能となる。
【００４１】
特に、本発明に係る床仕上げ材の敷設方法では、第一剥離紙１３が、床仕上げ材２０が配置されている部分側の端部から床仕上げ材２０の未配置部分側に導出する導出部１３ａを有している。そして、床仕上げ材２０の未配置部分側から導出部１３ａを引っ張ることによって、床仕上げ材２０を配置した部分の第一剥離紙１３を剥離する。
したがって、本発明に係る床仕上げ材の敷設方法によれば、両面テープ１０における床仕上げ材２０を配置した部分の第一剥離紙１３を床仕上げ材２０の未配置部分側から容易に剥離することが可能となる。
また、本発明に係る床仕上げ材の敷設方法では、導出部１３ａが、第一剥離紙１３を折り返すことにより形成されているため、簡易な構成で、両面テープ１０における床仕上げ材２０を配置した部分の第一剥離紙１３を床仕上げ材２０の未配置部分側から容易に剥離することが可能となる。
【００４２】
また、本発明に係る床仕上げ材の敷設方法では、両面テープ１０が、第一剥離紙１３が貼り付けられていない露出部１５を有することによって、第一剥離紙１３が貼り付けられた状態の両面テープ１０上で床仕上げ材２０の位置調整を行う際に、床仕上げ材２０の位置を適度に固定することが可能となる。
なお、本発明に係る床仕上げ材の敷設方法は、床下地面１が、釘等の固定具を用いることができない場合、例えば、コンクリートにより形成されている場合に特に有効である。
また、本発明に係る床仕上げ材の敷設方法は、床仕上げ材２０が、接着剤による接着に適さない場合、例えば、樹脂により形成されている場合に特に有効である。
【００４３】
（変形例）
本発明は上記実施の形態に限定されるものではなく、本発明の目的を達成できる範囲での変形、改良等は本発明に含まれるものである。
例えば、上記本実施の形態では、本発明に係る床仕上げ材の敷設方法を、コンクリート建築物の床スラブ面からなる床下地面１において床仕上げ材２０を敷設する方法に適用した。しかしながら、本発明に係る床仕上げ材の敷設方法は、床スラブ面に二重床を敷設し、該二重床上に床仕上げ材２０を敷設する方法に適用しても構わない。この際、まず、床スラブ面において、高さ調整可能な支持板を有する支持脚を複数配設する。また、複数配設した支持脚の支持板上に床下地材を配設した後、支持板の高さ調整を行い、二重床を形成する。そして、床スラブ面上に形成された二重床の床下地材の上面において、本発明に係る床仕上げ材の敷設方法により、床仕上げ材２０を敷設する。
【００４４】
また、上記実施の形態では、床下地面１において、両面テープ１０を、床仕上げ材２０の長手方向に直交する方向に沿って延びるように配置している。しかしながら、図１５に示すように、床下地面１において、両面テープ１０を、床仕上げ材２０の長手方向に沿って延びるように配置しても構わない。この場合も、図１５に示すように、隣り合う両列では、互いに、床仕上げ材２０の長手方向の端部の位置（隣り合う両床仕上げ材２０の継ぎ目Ｔの位置）が、左右方向にずれた状態となることが好ましい。そして、両面テープ１０は、床下地面１において、少なくとも、隣り合う両列の床仕上げ材２０の継ぎ目ｔの位置に設置することが好ましい。すなわち、隣り合う両列の床仕上げ材２０の幅方向の端部を、１本の両面テープ１０によって床下地面１に貼り付けることが好ましい。
【００４５】
また、上記実施の形態では、両面テープ１０では、露出部１５が、粘着面１２ａの幅方向において、第一剥離紙１３が貼り付けられている部分の両脇にそれぞれ設けられている。しかしながら、図１６に示すように、両面テープ１０では、露出部１５が、粘着面１２ａの幅方向において、第一剥離紙１３が貼り付けられている部分の両脇のうち一方側にのみ設けられていても構わない。また、両面テープ１０では、露出部１５が設けられていなくても構わない。
さらに、上記実施の形態では、上記第一の工程から第四の工程までの処理を一回実施する毎に、一枚の床仕上げ材２０を床下地面１に貼り付けている。しかしながら、一回の第一の工程から第四の工程までの処理において、複数枚の床仕上げ材２０を床下地面１に貼り付けても構わない。
【符号の説明】
【００４６】
１  床下地面
２  壁面
３  楔
１０  両面テープ
１１  粘着層
１２ａ  粘着面
１３  第一剥離紙
１３ａ  導出部
１２ｂ粘着面
１４  第二剥離紙
１５  露出部
２０  床仕上げ材
２１  凸部
２２  凹部
【図１】
2010261251.tif 000003
【図２】
2010261251.tif 000004
【図３】
2010261251.tif 000005
【図４】
2010261251.tif 000006
【図５】
2010261251.tif 000007
【図６】
2010261251.tif 000008
【図７】
2010261251.tif 000009
【図８】
2010261251.tif 000010
【図９】
2010261251.tif 000011
【図１０】
2010261251.tif 000012
【図１１】
2010261251.tif 000013
【図１２】
2010261251.tif 000014
【図１３】
2010261251.tif 000015
【図１４】
2010261251.tif 000016
【図１５】
2010261251.tif 000017
【図１６】
2010261251.tif 000018